(57)【要約】【課題】扉に設けた操作部の結露を、扉断熱材を厚くすることなく防止した冷蔵庫の提供。【解決手段】貯蔵室を開閉する扉５の断熱材前面に凹設した凹部１７と、この凹部に配置した樹脂製基板ケース１８と、前記樹脂製基板ケース内に設けた操作基板２０と、前記樹脂製基板ケースの前面側開口部分を覆う操作用の樹脂製カバー２５とからなり、前記扉はその表面を金属製の外被材１０で構成とするとともに、前記樹脂製基板ケースの背面には金属テープ２６を貼り付けて当該金属テープの一部を前記扉表面材に接触させた構成としてある。これにより、扉表面の外被材の外気熱が金属テープを介して樹脂製基板ケースに伝わり、扉断熱材を厚くしなくても操作部に結露が生じるのを防止できる。【選択図】図７
2014142131.tif 000002
【特許請求の範囲】
【請求項１】
断熱性の冷蔵庫本体と、前記冷蔵庫本体の貯蔵室を開閉する断熱性の扉と、前記扉の断熱材前面に凹設した凹部と、この凹部に配置した樹脂製基板ケースと、前記樹脂製基板ケース内に設けた操作基板と、前記樹脂製基板ケースの前面側開口部分を覆う操作用の樹脂製カバーとからなり、前記扉はその表面を金属製の外被材で構成とするとともに、前記樹脂製基板ケースの背面には金属テープを貼り付けて当該金属テープの一部を前記扉外被材に接触させたことを特徴とする冷蔵庫。
【請求項２】
操作基板からのリード線は樹脂製基板ケースに設けた貫通孔を貫通させて断熱材中に導出するとともに、金属テープは前記リード線が貫通する貫通孔を介して操作基板までの沿面距離が絶縁可能距離以上となる位置に貼り付けてあることを特徴とする請求項１に記載の冷蔵庫。
【請求項３】
樹脂製カバーは凹状にして周囲に壁部を形成し、前記壁部で操作基板を囲むようにしたことを特徴とした請求項１または２に記載の冷蔵庫。
【請求項４】
外被材は、扉の凹部内方向に折れ曲がる折曲部を設けて樹脂製基板ケースの壁部に沿わせて当該樹脂製基板ケース内に位置させたことを特徴とする請求項１〜３のいずれか１項に記載の冷蔵庫。
【発明の詳細な説明】
【技術分野】
【０００１】
本発明は冷蔵庫に関し、特に操作部構成に関するものである。
【背景技術】
【０００２】
一般に冷蔵庫は冷却温度等を設定するスイッチ操作部が扉の前面に設けてあるが、庫内冷気の影響を受けて操作部内で結露を生じるため、これを解決する構成が提案されている（例えば、特許文献１参照）。
【０００３】
図８は上記特許文献１に記載された冷蔵庫を示し、この冷蔵庫は扉１０１の冷蔵室１０２より下方に位置する扉端部前面に操作部収納凹部１０３を切欠き形成し、この操作部収納凹部１０３に操作基板１０４を組み込んで操作部１０５を形成してある。
【０００４】
この構成によると、操作部収納凹部１０３と冷蔵室１０２との間を結露防止に十分な寸法Ｔ１を確保でき、よって冷蔵室１０２前面の断熱材１０６の厚みＴ２を操作部収納凹部１０３の凹部深さ分だけ厚くしなくてもよくなり、操作部１０５内で結露が発生するのを防止できると同時に、断熱材１０６の厚みＴ２を厚くして冷蔵室１０２の内容積を減少させることもない、というものである。
【先行技術文献】
【特許文献】
【０００５】
【特許文献１】特開２０１２−７８０８６号公報
【発明の概要】
【発明が解決しようとする課題】
【０００６】
しかしながら、上記従来の構成は、操作部１０５を冷蔵室１０２より下方の扉１０１下端部に設けたときに効果が得られるものであって、操作部１０５の設置位置に制約を受ける。しかも、扉１０１の下端部以外の例えば略中央部等に設ける場合には、操作部収納凹部１０３の凹部深さ分だけ断熱材１０６を厚くしなければならず、その分冷蔵室１０２の内容積が減少することになるとともに、冷蔵室１０２の内容積を略同等に確保しようとすれば冷蔵庫本体が大型化するという課題が残るものであった。
【０００７】
本発明はこのような点に鑑みてなしたもので、操作部を扉下端部以外の例えば扉略中央前面部に設けても結露を防止できると同時に断熱材の厚みも薄くできて冷蔵室等の貯蔵室の内容積減少や冷蔵庫本体の大型化を防止できる冷蔵庫の提供を目的としたものである。
【課題を解決するための手段】
【０００８】
本発明は上記目的を達成するため、断熱性の冷蔵庫本体と、前記冷蔵庫本体の貯蔵室を開閉する断熱性の扉と、前記扉の断熱材前面に凹設した凹部と、この凹部に配置した樹脂製基板ケースと、前記樹脂製基板ケース内に設けた操作基板と、前記樹脂製基板ケースの前面側開口部分を覆う操作用の樹脂製カバーとからなり、前記扉はその表面を金属製の外被材で構成するとともに、前記樹脂製基板ケースの背面には金属テープを貼り付けて当該金属テープの一部を前記扉外被材に接触させた構成としてある。
【０００９】
これにより、扉表面の外被材が持つ外気熱が金属テープに伝熱し、この金属テープが張り付いている樹脂製基板ケースが前記金属テープによって保温され、かつ、断熱材からの冷輻射から保護され比較的高い温度に維持されるようになる。したがって、扉の断熱材の厚みを薄くしても樹脂製基板ケース内に設けた操作基板に結露が生じることを防止できる
とともに、扉の断熱材の厚みも薄くして貯蔵室の内容積を向上させることができる。
【発明の効果】
【００１０】
本発明は、扉断熱材の厚みを薄くしつつ操作基板の結露を防止することができ、操作部の設置位置制約を受けることなく、かつ、冷蔵庫本体を大型化させることなく、貯蔵室容積の向上を図ることができ、しかも、操作基板の結露を防止して故障等のない信頼性の高い冷蔵庫とすることができる。
【図面の簡単な説明】
【００１１】
【図１】本発明の実施の形態１における冷蔵庫の正面図
【図２】同冷蔵庫の扉を開いたときの正面図
【図３】同冷蔵庫の扉の樹脂製カバーを取り外したときの斜視図
【図４】同冷蔵庫の扉の分解斜視図
【図５】同冷蔵庫の操作部の樹脂製カバーを外したときの正面図
【図６】同冷蔵庫の操作部の縦断面図
【図７】同冷蔵庫の操作部を示す図６のＡ−Ａ断面図
【図８】従来の冷蔵庫の操作部を示す断面図
【発明を実施するための形態】
【００１２】
第１の発明は、断熱性の冷蔵庫本体と、前記冷蔵庫本体の貯蔵室を開閉する断熱性の扉と、前記扉の断熱材前面に凹設した凹部と、この凹部に配置した樹脂製基板ケースと、前記樹脂製基板ケース内に設けた操作基板と、前記樹脂製基板ケースの前面側開口部分を覆う操作用の樹脂製カバーとからなり、前記扉はその表面を金属製の外被材で構成するとともに、前記樹脂製基板ケースの背面には金属テープを貼り付けて当該金属テープの一部を前記扉外被材に接触させた構成としてある。
【００１３】
これにより、扉表面の外被材が持つ外気熱が金属テープに伝熱し、この金属テープが張り付いている樹脂製基板ケースが前記金属テープによって保温される。加えて、樹脂製基板ケースに対する扉断熱材からの冷輻射を金属テープが低減し遮断するようになる。したがって、樹脂製基板ケースは比較的高い温度に維持されるようになる。よって、扉の断熱材の厚みを薄くしても樹脂製基板ケース内に設けた操作基板に結露が生じるようなことがなくなるとともに、扉の断熱材の厚みも薄くして貯蔵室の内容積を向上させることができる。
【００１４】
第２の発明は、第１の発明において、操作基板からのリード線は樹脂製基板ケースに設けた貫通孔を貫通させて断熱材中に導出するとともに、金属テープは前記リード線が貫通する貫通孔を介して操作基板までの沿面距離が絶縁可能距離以上となる位置に貼り付けた構成としてある。
【００１５】
これにより、操作基板へのリード線の貫通部分において当該操作基板上の電気部品と金属テープとの間で静電スパークが発生することを防止でき、金属テープを貼り付けたことによる結露防止効果を損なうことなく静電気スパークによる操作基板や電気部品の破損も防止でき、より信頼性の高い冷蔵庫とすることができる。
【００１６】
第３の発明は、第１または第２の発明において、樹脂製カバーは凹状にして周囲に壁部を形成し、前記壁部で操作基板を囲む構成としてある。
【００１７】
これにより、操作基板と金属テープとの間を壁部によって電気的に遮断することができ、金属テープからの静電気突入を防止して操作基板や電気部品の破損を防止することができ、更に信頼性を向上させることができる。
【００１８】
第４の発明は第１〜第３の発明において、外被材は、扉の凹部内方向に折れ曲がる折曲部を設けて樹脂製基板ケースの壁部に沿わせて当該樹脂製基板ケース内に位置させた構成としてある。
【００１９】
これにより、扉外被材が持つ外気熱が折曲部を介して樹脂製基板ケース内部に放散されるようにもなるから、操作基板の結露を更に確実に防止でき、信頼性の高いものとすることができる。
【００２０】
以下、本発明の実施の形態について、図面を参照しながら説明する。なお、この実施の形態によって本発明が限定されるものではない。
【００２１】
（実施の形態１）
図１は本発明の実施の形態１における冷蔵庫の正面図、図２は同冷蔵庫の扉を開いたときの正面図、図３は同冷蔵庫の扉の樹脂製カバーを取り外したときの斜視図、図４は同冷蔵庫の扉の分解斜視図、図５は同冷蔵庫の操作部の樹脂製カバーを外したときの正面図、図６は同冷蔵庫の操作部の縦断面図、図７は同冷蔵庫の操作部を示す図６のＡ−Ａ断面図である。
【００２２】
図１〜図６において、１は冷蔵庫本体で、三つの貯蔵室２、３、４を有し、上部の貯蔵室２を冷蔵室（以下、冷蔵室２と称す）、その下部の貯蔵室３を冷凍室（以下、冷凍室３と称す）、更にその下部の貯蔵室４を野菜室（以下、野菜室４と称す）としてある。そしてこれらの各室は冷蔵庫本体１背面に設けた冷却室（図示せず）で生成した冷気を供給して冷却するようになっている。
【００２３】
上記冷蔵庫本体１は、図示しないものの、従来と同様、前方に開口する金属製（例えば鉄板）の外箱と、硬質樹脂製（例えばＡＢＳ製）の内箱と、これら外箱と内箱との間に発泡充填した硬質ウレタン等の断熱材とからなる。また、冷蔵庫本体１の冷蔵室２、冷凍室３、野菜室４の前面は、冷蔵庫本体１と同様の構成によって断熱性を持たせた扉５、６、７によって開閉自在としてあり、そのうち、上記冷蔵室２の扉５はその一端部側を回転自在に支持して、開閉可能に構成してある。
【００２４】
上記扉５は図３、図４に示すように扉表面材となる金属製の外被材１０、その内側、すなわち冷蔵室２側に位置する樹脂製の扉枠（内箱）１１、前記外被材１０と扉枠１１との間に充填発泡させた硬質発泡ウレタン等の断熱材１２、及びそれらの上下部を覆う化粧カバー１３、１４と、前記貯蔵室２との間の気密性を保つためのパッキン枠１５とからなっている。そして、上記扉５の前面略中央上下方向に操作部１６が設けてあり、以下図４〜図７を用いてその構成を説明する。
【００２５】
図３〜図７において、１７は扉５の断熱材１２前面に形成した縦長の凹部、１８は前記凹部１７を構成する樹脂製基板ケースで、図６、図７に示すように内部に基板保持枠１９とこれに保持させた操作基板２０が内蔵される。上記操作基板２０は図５に示すように前記冷蔵室２の冷却温度を設定するスイッチ２１や設定温度や冷却状態を表示する液晶及びＬＥＤ等からなる表示部２２、リード線２４と接続するメスコネクタ３０が装備してある。オスコネクタ３１を先に装備したリード線２４（図６参照）は樹脂製基板ケース１８の下部に設けた貫通孔２３を通してメスコネクタ３０と接続する。リード線２４の他方は断熱材１２中及びヒンジ部を通して冷蔵庫本体１の背面等に配置した制御部（図示せず）に接続してある。２５は前記樹脂製基板ケース１８の前面側開口部分を覆う操作用の樹脂製カバーで、図７に示すように周囲に壁部２５ａを備え、壁部２５ａは基板保持枠１９を囲むようにして配置され、前記扉５の外被材１０に取り付けてある。
【００２６】
ここで、前記樹脂製基板ケース１８の冷蔵室側の面、すなわち断熱材１２と接する面には、図６、図７に示すようにアルミテープ等の熱伝導性の良い金属テープ２６を貼り付け、その金属テープ２６の一部、すなわち両端部を、前記扉５の金属製の外被材１０の裏面に貼り付けてある。上記金属テープ２６は図５に示す操作基板２０のスイッチ２１や表示部２２等が設けてある導電部と対応する部分に貼り付けてあり、かつ、前記操作基板２０のリード線２４が貫通する貫通孔２３を介して操作基板２０までの沿面距離が絶縁可能距離Ｌ以上離れた位置に貼り付けてある。あわせて前記扉５の表面材となる外被材１０の開口端縁は図６に示すように前記凹部１７内方向に折りまげた折曲部２８を設けて当該折曲部２８を樹脂製基板ケース１８の壁部１８ａ内面に沿わせてある。
【００２７】
上記構成において、以下その作用効果について説明する。
【００２８】
通常、扉７の外被材１０は外気に触れていて外気温と略同程度の温度となっており、冷蔵室２より温度が高い状態となっている。そしてこの外被材１０の熱、すなわち外気熱は前記外被材１０の裏面にその一部が張り付いて接触している金属テープ２６に伝わり、金属テープ２６も比較的高い温度となっている。
【００２９】
この金属テープ２６は操作部１６の樹脂製基板ケース１８の冷蔵室側面に張り付いているため、樹脂製基板ケース１８を保温するようになるとともに、冷蔵室２の冷気によって冷却された断熱材１２からの樹脂製基板ケース１８に対する冷輻射を低減し遮断するようになる。したがって、前記樹脂製基板ケース１８内は比較的高い温度に維持され、その中に設けられている操作基板２０や当該操作基板２０に装備されているスイッチ２１や表示部２２等も同様に比較的高い温度に維持されることになる。
【００３０】
これによって、前記樹脂製基板ケース１８の内面及び操作基板２０やスイッチ２１、表示部２２等に結露が発生するようなことがなくなり、結露による損傷を防止することができる。
【００３１】
また、前記した如く樹脂製基板ケース１８の内部及び操作基板２０やスイッチ２１、表示部２２等の温度を高く維持でき、断熱材１２からの冷輻射も低減し遮断することができるから、表示部２２を扉５の下端部ではなく例えば略中央部に設けていても、断熱材１２の厚みを薄くして結露を防止できる。したがって、断熱材１２の厚みを薄くした分だけ冷蔵室２の内容積を向上させることができるとともに、同等レベルの内容積を確保するために冷蔵庫本体１が大型化することも防止できる。
【００３２】
特にこの実施の形態では前記扉５の外被材１０は、操作部１６の凹部１７内方向に折りまがる折曲部２８を設けて当該折曲部２８を樹脂製基板ケース１８の壁部１８ａに沿わせて樹脂製基板ケース１８内に位置させてあるから、外被材１０が持つ外気熱が折曲部２８を介しても樹脂製基板ケース１８内部に放散されるようになり、樹脂製基板ケース１８内の温度をより高く維持することができる。これによって、操作基板２０の結露を更に確実に防止できるようになる。
【００３３】
また、上記外被材１０の折曲部２８を樹脂製基板ケース１８の壁部１８ａ内面に密着させて位置させれば、樹脂製基板ケース１８の壁部１８ａの強度が向上され、扉成形時において樹脂製基板ケース１８の背面側外周部に断熱材１２の発泡圧が加わっても、樹脂製基板ケース１８の壁部１８ａが変形して品質不良を引き起こすことを防止することもできる。
【００３４】
一方、前記樹脂製基板ケース１８の冷蔵室側の面に貼り付けた金属テープ２６は、前記
操作基板２０のリード線２４が貫通する貫通孔２３を介して操作基板２０までの沿面距離が絶縁可能距離以上となる位置に貼り付けてあるから、操作基板２０へのリード線の貫通部分において当該操作基板２０上のスイッチ２１や表示部２２等の電気部品と金属テープ２６との間で静電気スパークを起こすようなことを防止できる。これによって、金属テープ２６を貼り付けたことによる結露防止効果を維持しつつ静電気スパークによる操作基板２０や電気部品の破損も防止でき、より信頼性の高い冷蔵庫とすることができる。
【００３５】
更に、上記樹脂製カバー２５は凹状にして周囲に壁部２５ａを形成し、前記壁部２５ａで操作基板２０を囲むようにしてあるから、操作基板２０と金属テープ２６との間を壁部２５ａによって電気的に遮断することができ、金属テープ２６からの静電気突入を防止して操作基板２０や電気部品の破損を防止でき、更なる信頼性の向上を図ることができる。
【００３６】
また、上記樹脂製基板ケース１８も凹状にして周囲に壁部１８ａを形成し、前記壁部１８ａで操作基板２０を囲むようにしてあるから、操作基板２０と金属テープ２６との間を壁部１８ａによって電気的に遮断することができ、金属テープ２６からの静電気突入を防止して操作基板２０や電気部品の破損を防止でき、更なる信頼性の向上を図ることができる。
【００３７】
以上説明してきたようにこの冷蔵庫は、扉断熱材を厚くすることなく操作部の結露防止できるものであるが、上記実施の形態は本発明を実施するうえでの一例として示したものであり、本発明の目的を達成する範囲で種々変更可能であることは言うまでもない。
【００３８】
例えば、上記実施の形態では操作部１６を扉前面の略中央部に設けたもので説明したが、扉前面の左右上下端に設けることを排除するものではなく、どのような位置に設けてあっても同様の効果が得られるものである。
【産業上の利用可能性】
【００３９】
以上のように本発明は、扉断熱材の厚みを薄くしつつ操作基板の結露を防止することができ、冷蔵庫本体を大型化させることなく貯蔵室容積の向上を図り、かつ、操作基板の結露による故障等がない信頼性の高い冷蔵庫とすることができ、一般用はもちろん業務用の冷蔵庫にも幅広く適用できる。
【符号の説明】
【００４０】
１  冷蔵庫本体
２  冷蔵室（貯蔵室）
３  冷凍室（貯蔵室）
４  野菜室（貯蔵室）
５、６、７  扉
１０  外被材
１１  扉枠
１２  断熱材
１３、１４  化粧カバー
１５  パッキン枠
１６  操作部
１７  凹部
１８  樹脂製基板ケース
１９  基板保持枠
２０  操作基板
２１  スイッチ
２２  表示部
２３  貫通孔
２４  リード線
２５  樹脂製カバー
２６  金属テープ
２８  折曲部
【図１】
2014142131.tif 000003
【図２】
2014142131.tif 000004
【図３】
2014142131.tif 000005
【図４】
2014142131.tif 000006
【図５】
2014142131.tif 000007
【図６】
2014142131.tif 000008
【図７】
2014142131.tif 000009
【図８】
2014142131.tif 000010